(57)【要約】  燃料電池システムは、前記燃料電池システムの停止パターンに係る条件が所定条件を満たしているか否かを判断する制御部と、前記停止パターンに係る条件が前記所定条件を満たしていると判断された場合に、警告を出力する出力部とを備える。
2019022198.tif 000002
【特許請求の範囲】
【請求項１】
燃料電池システムであって、
前記燃料電池システムの停止パターンに係る条件が所定条件を満たしているか否かを判断する制御部と、
前記停止パターンに係る条件が前記所定条件を満たしていると判断された場合に、警告を出力する出力部とを備える、燃料電池システム。
【請求項２】
前記出力部は、前記燃料電池システムと狭域ネットワークを介して接続される管理装置に前記警告を送信する、請求項１に記載の燃料電池システム。
【請求項３】
前記出力部は、前記燃料電池システムと広域ネットワークを介して接続される管理装置に前記警告を送信する、請求項１又は請求項２に記載の燃料電池システム。
【請求項４】
ユーザによって操作されるリモートコントローラを備え、
前記出力部は、前記リモートコントローラに前記警告を出力する、請求項１乃至請求項３のいずれかに記載の燃料電池システム。
【請求項５】
前記停止パターンは、前記前記燃料電池システムの停止処理が実行された時間の履歴を含む、請求項１乃至請求項４のいずれかに記載の燃料電池システム。
【請求項６】
前記所定条件は、単位時間における前記燃料電池システムの停止回数が閾値を超えることである、請求項１乃至請求項５のいずれかに記載の燃料電池システム。
【請求項７】
前記所定条件は、前記燃料電池システムのｎ−１回目の停止から前記燃料電池システムのｎ回目の停止までの時間間隔が所定閾値よりも短いことである、請求項１乃至請求項６のいずれかに記載の燃料電池システム。
【請求項８】
前記所定条件は、前記停止パターンが規則性を持って繰り返されることである、請求項１乃至請求項７のいずれかに記載の燃料電池システム。
【請求項９】
前記所定条件は、前記燃料電池システムが自動再起動可能な状態で前記燃料電池システムの停止が実行されることである、請求項１乃至請求項８のいずれかに記載の燃料電池システム。
【請求項１０】
前記所定条件は、前記燃料電池システムに設けられるセンサの検出結果と前記燃料電池システムの停止との間に所定相関関係があることである、請求項１乃至請求項９のいずれかに記載の燃料電池システム。
【請求項１１】
停止回数の上限が定められた燃料電池設備を備える、請求項１乃至請求項１０のいずれかに記載の燃料電池システム。
【請求項１２】
燃料電池システムの停止パターンに係る条件が所定条件を満たしているか否かを判断するステップと、
前記停止パターンに係る条件が前記所定条件を満たしていると判断された場合に、警告を出力するステップとを備える、設備管理方法。
【請求項１３】
燃料電池システムに狭域ネットワーク及び広域ネットワークの少なくともいずれか１つを介して接続される管理装置であて、
前記燃料電池システムの停止パターンに係る条件が所定条件を満たしている場合に、警告を受信する受信部を備える、管理装置。
【請求項１４】
燃料電池システムと、
前記燃料電池システムに狭域ネットワーク及び広域ネットワークの少なくともいずれか１つを介して接続される管理装置とを備え、
前記燃料電池システムの停止パターンに係る条件が所定条件を満たしているか否かを判断する制御部と、
前記停止パターンに係る条件が前記所定条件を満たしていると判断された場合に、前記管理装置に警告を出力する出力部とを備える、設備管理システム。
【発明の詳細な説明】
【技術分野】
【０００１】
本発明は、燃料電池システム、設備管理方法、管理装置及び設備管理システムに関する。
【背景技術】
【０００２】
複数の設備に関する様々な情報を管理する設備管理システムが知られている。様々な情報としては、設備に関する基本情報やメンテナンス情報が挙げられる。基本情報は、例えば、設置年月日、既定耐用年数及び定格消費電力等を含む。メンテナンス情報は、過去のメンテナンスの履歴を含む（例えば、特許文献１）。
【先行技術文献】
【特許文献】
【０００３】
【特許文献１】特開２００５−１８２３９９号公報
【発明の概要】
【０００４】
第１の特徴に係る燃料電池システムは、前記燃料電池システムの停止パターンに係る条件が所定条件を満たしているか否かを判断する制御部と、前記停止パターンに係る条件が前記所定条件を満たしていると判断された場合に、警告を出力する出力部とを備える。
【０００５】
第２の特徴に係る設備管理方法は、燃料電池システムの停止パターンに係る条件が所定条件を満たしているか否かを判断するステップと、前記停止パターンに係る条件が前記所定条件を満たしていると判断された場合に、警告を出力するステップとを備える。
【０００６】
第３の特徴に係る管理装置は、燃料電池システムに狭域ネットワーク及び広域ネットワークの少なくともいずれか１つを介して接続される。前記管理装置は、前記燃料電池システムの停止パターンに係る条件が所定条件を満たしている場合に、警告を受信する受信部を備える。
【０００７】
第３の特徴に係る設備管理システムは、燃料電池システムと、前記燃料電池システムに狭域ネットワーク及び広域ネットワークの少なくともいずれか１つを介して接続される管理装置とを備える。前記設備管理システムは、前記燃料電池システムの停止パターンに係る条件が所定条件を満たしているか否かを判断する制御部と、前記停止パターンに係る条件が前記所定条件を満たしていると判断された場合に、前記管理装置に警告を出力する出力部とを備える。
【図面の簡単な説明】
【０００８】
【図１】図１は、実施形態に係る設備管理システム１００を示す図である。
【図２】図２は、実施形態に係る燃料電池システム３１０を示す図である。
【図３】図３は、実施形態に係る設備管理装置２００を示す図である。
【図４】図４は、実施形態に係る設備管理方法を示す図である。
【発明を実施するための形態】
【０００９】
以下において、実施形態について図面を参照しながら説明する。なお、以下の図面の記載において、同一又は類似の部分には、同一又は類似の符号を付している。
【００１０】
但し、図面は模式的なものであり、各寸法の比率などは現実のものとは異なる場合があることに留意すべきである。従って、具体的な寸法などは以下の説明を参酌して判断すべきである。また、図面相互間においても互いの寸法の関係又は比率が異なる部分が含まれている場合があることは勿論である。
【００１１】
［開示の概要］
ところで、設備管理システムによって管理される設備が燃料電池システムであるケースが考えられる。燃料電池システムはユーザによって操作され得るシステムであるため、ユーザ操作によって燃料電池システムが頻繁に停止する事態を想定する必要がある。
【００１２】
しかしながら、燃料電池システムが頻繁に停止すると、燃料電池システムを適切に制御することができなくなる可能性があるため、燃料電池システムが頻繁に停止する事態は避けた方が好ましい。
【００１３】
以下に示す開示においては、上述した課題を解決するために、燃料電池システムが頻繁に停止する事態を抑制することを可能とする燃料電池システム、設備管理方法、管理装置及び設備管理システムについて説明する。
【００１４】
［実施形態］
（設備管理システム）
以下において、実施形態に係る設備管理システムについて説明する。図１に示すように、設備管理システム１００は、設備管理装置２００と、施設３００と、所定端末４００とを有する。図１では、施設３００として、施設３００Ａ〜施設３００Ｃが例示されている。設備管理装置２００及び施設３００は、ネットワーク１２０に接続されている。ネットワーク１２０は、設備管理装置２００と施設３００（詳細には、施設３００に設けられるルータ）との間の回線（広域ネットワーク）を提供する。ネットワーク１２０は、設備管理装置２００と所定端末４００との間の回線を提供してもよい。ネットワーク１２０は、例えば、インターネットであってもよく、移動通信網であってもよい。ネットワーク１２０は、ＶＰＮなどの専用回線を提供してもよい。ネットワーク１２０は、施設３００の外部に設けられる装置と通信を行う回線を提供する意味で宅外ネットワークと考えてもよい。
【００１５】
設備管理装置２００は、施設３００に設けられる設備を管理する。設備管理装置２００の詳細については後述する（図３を参照）。
【００１６】
施設３００は、燃料電池システム３１０及びＥＭＳ３２０を有する。燃料電池システム３１０は、燃料ガスを用いて発電を行う設備を含む。燃料電池システム３１０の詳細については後述する（図２を参照）。ＥＭＳ３２０は、施設３００に設けられる設備を制御する設備（Ｅｎｅｒｇｙ  Ｍａｎａｇｅｍｅｎｔ  Ｓｙｓｔｅｍ）である。ここで、燃料電池システム３１０とＥＭＳ３２０との間の回線は狭域ネットワークによって提供される。狭域ネットワークは、例えば、施設３００に設けられるルータによって構成されるネットワークである。狭域ネットワークは、Ｂｌｕｅｔｏｏｔｈ（登録商標）及びＷｉ−ＳＡＮなどの近距離通信網であってもよい。狭域ネットワークは、施設３００に設けられる装置と通信を行う回線を提供する意味で宅内ネットワークと考えてもよい。但し、施設３００に設けられる装置は、施設３００の屋内に設けられていなくてもよく、施設３００の敷地に設けられていてもよい。
【００１７】
施設３００は、電力を消費する負荷設備を有していてもよい。負荷設備は、例えば、空調設備、照明設備、ＡＶ（Ａｕｄｉｏ  Ｖｉｓｕａｌ）設備などである。施設３００は、燃料電池システム３１０以外の分散電源を有していてもよい。分散電源は、例えば、太陽光、風力又は地熱などの自然エネルギーを利用して発電を行う設備を含んでもよく、蓄電池設備を含んでもよい。
【００１８】
所定端末４００は、施設３００に設けられる設備を管理する管理者が所持する端末であってもよい。所定端末４００は、施設３００に設けられる設備のメンテナンスを行う作業者が所持する端末であってもよい。所定端末４００は、発電事業者、送配電事業者或いは小売事業者などの事業者に属する端末であってもよい。所定端末４００は、スマートフォンであってもよく、タブレット端末であってもよく、パーソナルコンピュータであってもよい。所定端末４００は、燃料電池システム３１０と狭域ネットワーク及び広域ネットワークの少なくともいずれか１つを介して接続される管理装置の一例であると考えてもよい。
【００１９】
ここで、設備管理システム１００は、電力管理サーバを有していてもよい。電力管理サーバは、例えば、電力系統１１０から施設３００に対する潮流量の制御を要求する潮流制御メッセージ、施設３００から電力系統１１０に対する逆潮流量の制御を要求する逆潮流制御メッセージ、施設３００に設けられる燃料電池システム３１０（分散電源）の制御を要求する電源制御メッセージなどを施設３００に送信する。
【００２０】
実施形態において、設備管理装置２００は、燃料電池システム３１０と広域ネットワークを介して接続される管理装置の一例である。ＥＭＳ３２０は、燃料電池システム３１０と狭域ネットワークを介して接続される管理装置の一例である。
【００２１】
（燃料電池システム）
以下において、実施形態に係る燃料電池システムについて説明する。図２は、実施形態に係る燃料電池システム３１０を示す図である。燃料電池システム３１０は、少なくとも燃料電池設備１５０を含む。燃料電池システム３１０は、貯湯設備１６０を含んでもよい。ここでは、燃料電池システム３１０は、燃料電池設備１５０及び貯湯設備１６０の双方を含むコジェネレーションシステムであるものとして説明を続ける。
【００２２】
燃料電池設備１５０は、燃料ガスを用いて発電を行う設備である。貯湯設備１６０は、燃料ガスを用いて湯を生成或いは水温を維持する設備である。具体的には、貯湯設備１６０は、貯湯槽を有しており、燃料の燃焼によって生じる熱又は燃料電池設備１５０の発電によって生じる排熱によって、貯湯槽から供給される水を温めて、温められた湯を貯湯槽に還流する。
【００２３】
図２に示すように、燃料電池設備１５０は、燃料電池１５１と、ＰＣＳ１５２と、ブロワ１５３と、脱硫器１５４と、着火ヒータ１５５と、ラジエータ１５６と、制御基板１５７とを有する。
【００２４】
燃料電池１５１は、燃料ガスを用いて発電を行う設備である。具体的には、燃料電池１５１は、改質器１５１Ａと、セルスタック１５１Ｂとを有する。
【００２５】
改質器１５１Ａは、後述する脱硫器１５４によって付臭剤が除去された燃料から改質ガスを生成する。改質ガスは、水素及び一酸化炭素によって構成されるガスである。
【００２６】
セルスタック１５１Ｂは、後述するブロワ１５３から供給される空気（酸素）と改質ガスとの化学反応によって発電する。具体的には、セルスタック１５１Ｂは、複数のセルがスタックされた構造を有する。各セルは、燃料極と空気極との間に電解質が挟み込まれた構造を有する。燃料極には、改質ガス（水素）が供給され、空気極には、空気（酸素）が供給される。電解質において改質ガス（水素）及び空気（酸素）の化学反応が生じて、電力（ＤＣ電力）及び熱が生成される。
【００２７】
ＰＣＳ１５２は、燃料電池１５１から出力されたＤＣ電力をＡＣ電力に変換する設備（Ｐｏｗｅｒ  Ｃｏｎｄｉｔｉｏｎｉｎｇ  Ｓｙｓｔｅｍ）である。
【００２８】
ブロワ１５３は、燃料電池１５１（セルスタック１５１Ｂ）に空気を供給する。ブロワ１５３は、例えば、ファンによって構成される。ブロワ１５３は、セルスタック１５１Ｂの温度が許容温度の上限を超えないようにセルスタック１５１Ｂを冷却する。
【００２９】
脱硫器１５４は、外部から供給される燃料ガスに含まれる付臭剤を除去する。燃料ガスは、都市ガスであってもよく、プロパンガスであってもよい。
【００３０】
着火ヒータ１５５は、セルスタック１５１Ｂで化学反応しなかった燃料ガス（以下、未反応ガス）に着火し、セルスタック１５１Ｂの温度を高温に維持するヒータである。すなわち、着火ヒータ１５５は、セルスタック１５１Ｂを構成する各セルの開口から漏れる未反応ガスに着火する。着火ヒータ１５５は、未反応ガスが燃焼していないケース（例えば、燃料電池設備１５０の起動時）において、未反応ガスに着火すればよいことに留意すべきである。そして、未反応ガスの燃焼が開始した後においては、セルスタック１５１Ｂから僅かずつ溢れ出る未反応ガスが燃焼し続けることによって、セルスタック１５１Ｂの温度が高温に維持される。
【００３１】
ラジエータ１５６は、貯湯設備１６０から燃料電池設備１５０に流れる水（以下、還流水）の温度が許容温度の上限を超えないように還流水を冷却する。ラジエータ１５６は、セルスタック１５１Ｂの温度が許容温度の上限を超えないようにセルスタック１５１Ｂを冷却してもよい。
【００３２】
制御基板１５７は、燃料電池１５１、ＰＣＳ１５２、ブロワ１５３、脱硫器１５４、着火ヒータ１５５及び制御基板１５７を制御する回路を搭載する基板である。
【００３３】
改質器１５１Ａ、ブロワ１５３、脱硫器１５４、着火ヒータ１５５及び制御基板１５７は、セルスタック１５１Ｂの動作を補助する補機の一例である。また、ＰＣＳ１５２の一部を補機として扱ってもよい。
【００３４】
燃料電池システム３１０の運転状態は、発電状態（発電中とも称する）、停止状態（停止中とも称する）、起動状態（起動中とも称する）、停止動作状態（停止動作中とも称する）、アイドル状態（アイドル中とも称する）などを含む。
【００３５】
発電状態は、燃料電池１５１による発電が行われている状態である。起動状態は、停止状態から発電状態に至る状態である。停止状態は、燃料電池１５１の動作が停止している状態である。停止動作状態は、発電状態から停止状態に至る状態である。アイドル状態は、燃料電池システム３１０から電力が出力されていないが、セルスタック１５１Ｂの温度が所定温度に維持される状態である。所定温度は、発電状態におけるセルスタック１５１Ｂの発電温度（例えば、６５０℃〜１０００℃）と同程度であってもよく、発電温度よりも低い温度（例えば、４５０℃〜６００℃）であってもよい。アイドル状態において、補機の電力は、燃料電池１５１から出力される電力によって賄われてもよく、他の分散電源（例えば、自然エネルギーを利用して発電を行う設備又は蓄電池設備）から供給される電力によって賄われてもよく、電力系統１１０から供給される電力によって賄われてもよい。
【００３６】
図２に示す例では、制御基板１５７は、燃料電池設備１５０に設けられる。しかしながら、実施形態はこれに限定されるものではない。燃料電池システム３１０は、ユーザ操作を受け付けるリモートコントローラを含み、制御基板１５７は、リモートコントローラに設けられてもよい。或いは、制御基板１５７が有する機能は、燃料電池設備１５０に設けられる基板及びリモートコントローラの双方によって実現されてもよい。さらに、制御基板１５７は、ＰＣＳ１５２の一部であると考えてもよい。
【００３７】
実施形態において、制御基板１５７は、燃料電池システム３１０の停止パターンに係る条件が所定条件を満たしているか否かを判断する制御部を構成する。制御部は、ＣＰＵ及びメモリによって構成される。制御基板１５７は、停止パターンに係る条件が前記所定条件を満たしていると判断された場合に、警告を出力する出力部を構成する。出力部は、通信モジュールによって構成されてもよい。出力部は、画像処理ＩＣ及び音処理ＩＣの少なくともいずれか１つによって構成されてもよい。
【００３８】
ここで、燃料電池システム３１０の停止は、正常停止及び異常停止を含む。正常停止とは、燃料電池１５１による発電を停止するが、ブロワ１５３又はラジエータ１５６を停止せずに、ブロワ１５３又はラジエータ１５６を用いてセルスタック１５１Ｂの温度を下げながら、燃料電池システム３１０の動作を停止する動作である。一方で、異常停止は、燃料電池１５１による発電だけではなく、燃料電池システム３１０の全体の動作を停止する動作である。正常停止の動作は、例えば、相対的に軽微な異常に応じて実行される動作、若しくは、燃料電池システム３１０の定期メンテナンスで実行される動作である。一方、異常停止の動作は、例えば、相対的に重大な異常に応じて実行される動作、若しくは、正常停止を行えない状態で実行される動作である。
【００３９】
さらに、燃料電池システム３１０の停止は、手動停止及び自動停止を含む。手動停止とは、ユーザ操作に起因する停止である。自動停止は、燃料電池システム３１０が有する停止機能に起因する停止である。自動停止は、ユーザ操作を要せずに、燃料電池システム３１０による自動的な停止である。手動停止は、上述した正常停止及び異常停止を含む。同様に、自動停止は、上述した正常停止及び異常停止を含む。さらに、燃料電池システム３１０の停止は、設備管理装置２００から遠隔操作によって燃料電池システム３１０を停止する動作を含んでもよい。このような動作は、手動停止としてカウントされてもよく、自動停止としてカウントされてもよい。
【００４０】
異常停止は、例えば、燃料電池システム３１０内のガスの濃度が所定範囲外となる事象に応じて実行される停止であってもよく、燃料電池システム３１０内のＣＯの濃度が上限閾値を超える事象に応じて実行される停止であってもよく、燃料電池システム３１０に設けられる部品（セルスタック、燃料触媒など）の温度が上限閾値を超える事象（高温異常）に応じて実行される停止であってもよい。ガスの濃度、ＣＯの濃度及び部品の温度は燃料電池システム３１０に設けられるセンサによって検出されてもよい。異常停止は、センサの検出結果によって燃料電池システム３１０が自動的に停止する自動停止でもよく、センサの検出結果のユーザに通知することによって燃料電池システム３１０がユーザ操作で停止する手動停止でもよい。さらに、異常停止は、例えば、燃料電池システム３１０に設けられる部品（例えば、センサ、ブロワ１５３、ラジエータ１５６など）の異常に応じて実行される停止であってもよい。異常停止は、部品の異常の検出結果によって燃料電池システム３１０が自動的に停止する自動停止でもよく、部品の異常の検出結果をユーザに通知することによって燃料電池システム３１０がユーザ操作で停止する手動停止でもよい。また、異常停止は、シャットダウン停止と称してもよい。
【００４１】
正常停止は、異常停止以外の停止である。正常停止は、例えば、燃料電池システム３１０に設けられる部品（セルスタックなど）の温度が下限閾値を下回る事象（低温異常）に応じて実行される停止であってもよい。部品の温度は燃料電池システム３１０に設けられるセンサによって検出されてもよい。正常停止は、センサの検出結果によって燃料電池システム３１０が自動的に停止する自動停止でもよく、センサの検出結果のユーザに通知することによって燃料電池システム３１０がユーザ操作で停止する手動停止でもよい。さらに、正常停止は、通信異常に応じて実行される停止であってもよい。通信異常は、ＰＣＳ１５２、制御基板１５７及びリモートコントローラなどのように、燃料電池システム３１０に設けられる部品の間の通信異常であってもよく、燃料電池システム３１０とＥＭＳ３２０との間の通信異常であってもよい。通信異常は、通信できない状態が所定時間以上に亘って継続する異常であってもよい。正常停止は、通信異常の検出結果によって燃料電池システム３１０が自動的に停止する自動停止でもよく、通信異常の検出結果をユーザに通知することによって燃料電池システム３１０がユーザ操作で停止する手動停止でもよい。正常停止は、電力系統１１０の異常に応じて実行される停止であってもよい。電力系統１１０の異常は、停電であってもよく、系統電圧及び系統周波数の異常であってもよい。正常停止は、電力系統１１０の異常の検出結果によって燃料電池システム３１０が自動的に停止する自動停止でもよく、電力系統１１０の異常の検出結果をユーザに通知することによって燃料電池システム３１０がユーザ操作で停止する手動停止でもよい。
【００４２】
燃料電池システム３１０は、停止回数の上限が定められている燃料電池設備１５０を含む。停止回数の上限は、停止の種別毎に異なる上限であってもよい。例えば、正常停止回数の上限及び異常停止回数の上限は別々に定められていてもよい。手動停止による正常停止回数の上限及び自動停止による正常停止回数の上限は別々に定められてもよい。手動停止による異常停止回数の上限及び自動停止による異常停止回数の上限は別々に定められてもよい。正常停止回数の上限は、異常停止回数の上限よりも多くてもよい。正常停止回数は、手動停止による正常停止回数であってもよく、自動停止による正常停止回数であってもよく、手動停止による正常停止回数及び自動停止による正常停止回数の合計回数であってもよい。同様に、異常停止回数は、手動停止による異常停止回数であってもよく、自動停止による異常停止回数であってもよく、手動停止による異常停止回数及び自動停止による異常停止回数の合計回数であってもよい。
【００４３】
上述した停止パターンは、燃料電池システム３１０が施設３００に設置された時からの燃料電池システム３１０の停止処理が実行された時間の履歴を含んでもよい。停止パターンは、停止処理（正常停止、異常停止、手動停止、自動停止など）の種別を含んでもよい。
【００４４】
上述した所定条件は、単位時間における燃料電池システム３１０の停止回数が閾値を超えることであってもよい。停止回数は、手動停止の回数であってもよく、自動停止の回数であってもよく、自動停止及び手動停止の合計回数であってもよい。停止回数は、正常停止回数であってもよく、異常停止回数であってもよく、正常停止回数及び異常停止回数の合計回数であってもよい。単位時間は、特に限定されるものではないが、１日、１週間、１ヶ月であってもよい。これによって、燃料電池システム３１０の停止処理が頻繁に実行される事態を抑制することができる。例えば、燃料電池システム３１０の取り扱いにユーザが不慣れであっても、ユーザによる不要な手動停止が頻繁に実行される事態を抑制することができる。
【００４５】
上述した所定条件は、燃料電池システム３１０が施設３００に設置された時から数えて、燃料電池システム３１０のｎ−１回目の停止から燃料電池システム３１０のｎ回目の停止までの時間間隔が所定閾値よりも短いことであってもよい。また、燃料電池システム３１０が施設３００に設置された後であっても、メンテナンスにより既存の燃料電池設備１５０が新しい燃料電池設備１５０に交換された場合には、上述した所定条件は、新しい燃料電池設備１５０に交換された時から数えて、燃料電池システム３１０のｎ−１回目の停止から燃料電池システム３１０のｎ回目の停止までの時間間隔が所定閾値よりも短いことであってもよい。このような停止は、手動停止であってもよく、自動停止であってもよく、自動停止及び手動停止の双方であってもよい。このような停止は、正常停止であってもよく、異常停止であってもよく、正常停止及び異常停止の双方であってもよい。これによって、燃料電池システム３１０の停止処理が頻繁に実行される事態を抑制することができる。例えば、燃料電池システム３１０の取り扱いにユーザが不慣れであっても、ユーザによる不要な手動停止が頻繁に実行される事態を抑制することができる。
【００４６】
上述した所定条件は、停止パターンが規則性を持って繰り返されることであってもよい。規則性は、例えば、ユーザの行動パターン（在宅／不在など）に起因する規則性であってもよい。従って、規則性は、１日の中の特定の時間帯（例えば、昼間）、１週間の中の特定の曜日（例えば、平日）、１ヶ月の中の特定の日（例えば、土日祝日）、１年の中の特定の期間（長期連休）に燃料電池システム３１０が停止するという規則性でもよい。これによって、不在などの理由から不必要な燃料電池システム３１０の停止処理が実行される事態を抑制することができる。例えば、燃料電池システム３１０の取り扱いにユーザが不慣れであっても、ユーザによる不要な手動停止が頻繁に実行される事態を抑制することができる。
【００４７】
上述した所定条件は、燃料電池システム３１０が自動再起動可能な状態で燃料電池システム３１０の停止が実行されることであってもよい。自動再起動可能な状態は、アイドル状態において、燃料電池システム３１０の発電が停止され、自動的に実行される発電開始の動作を待機している状態である。すなわち、所定条件は、自動的に発電が再開されるにもかかわらずに、手動停止が実行されることであってもよい。これによって、燃料電池システム３１０の停止処理が頻繁に実行される事態を抑制することができる。
【００４８】
上述した所定条件は、燃料電池システム３１０に設けられるセンサの検出結果と燃料電池システム３１０の停止との間に所定相関関係があることであってもよい。所定相関関係とは、センサの検出結果が自動停止を実行する条件を満たしているにもかかわらずに、手動停止が実行されることであってもよい。これによって、燃料電池システム３１０の停止処理が重複する事態を抑制することができる。
【００４９】
制御基板１５７は、燃料電池システム３１０と狭域ネットワークを介して接続される管理装置（例えば、ＥＭＳ３２０）に警報（以下、警報メッセージ）を送信してもよい。また、「警報」は「警告」と読み替えてもよい。制御基板１５７は、燃料電池システム３１０と広域ネットワークを介して接続される管理装置（例えば、設備管理装置２００）に警報メッセージを送信してもよい。このようなケースにおいて、制御基板１５７は、ＥＭＳ３２０を介して設備管理装置２００に警報メッセージを送信してもよく、ＥＭＳ３２０を介さずに設備管理装置２００に警報メッセージを送信してもよい。さらに、制御基板１５７は、狭域ネットワークを介して所定端末４００に警報メッセージを送信してもよく、広域ネットワークを介して所定端末４００に警報メッセージを送信してもよい。このようなケースにおいて、制御基板１５７は、狭域ネットワーク及び広域ネットワークの双方を介して所定端末４００に警報メッセージを送信してもよく、狭域ネットワークを介さずに広域ネットワーク（例えば、移動通信網）を介して所定端末４００に警報メッセージを送信してもよい。
【００５０】
制御基板１５７は、燃料電池システム３１０に設けられるリモートコントローラに警報を出力してもよい。制御基板１５７は、リモートコントローラのディスプレイに警報を表示するための制御を行ってもよく、リモートコントローラのスピーカから警報を出力するための制御を行ってもよい。
【００５１】
（設備管理装置）
以下において、実施形態に係る設備管理装置について説明する。図３に示すように、設備管理装置２００は、管理部２１０と、通信部２２０と、制御部２３０とを有する。
【００５２】
管理部２１０は、不揮発性メモリ又は／及びＨＤＤなどの記憶媒体によって構成されており、複数の施設３００に関する情報を管理する。
【００５３】
管理部２１０は、複数の施設３００のそれぞれに設けられる設備の基本情報を記憶してもよい。管理部２１０は、例えば、施設名、施設ＩＤ、設備名、設備ＩＤ、導入年、経年及び耐用年数を対応付けて記憶する。施設名は、設備が設置される施設３００の名称である。施設ＩＤは、施設３００を識別する識別子である。設備名は、設備の名称である。設備ＩＤは、設備を識別する識別子である。導入年は、設備が導入された年である。経年は、設備が導入されてから経過した年である。耐用年数は、設備のメーカ等によって定められており、設備を導入してから設備を適切に使用可能な期間を示す情報である。
【００５４】
管理部２１０は、複数の施設３００のそれぞれについて、複数の施設３００のそれぞれに設けられる設備のメンテナンス情報を記憶してもよい。管理部２１０は、例えば、施設名、設備名、メンテナンス日、メンテナンス概要及びメンテナンス詳細を対応付けて記憶する。管理部２１０は、これらの情報とともに、施設ＩＤ及び設備ＩＤを対応付けて記憶してもよい。施設名及び設備名は、上述した通りである。メンテナンス日は、メンテナンスが行われた日付である。メンテナンス概要は、メンテナンスの概要を示す情報であり、メンテナンス詳細は、メンテナンスの詳細を示す情報である。実施形態に係るメンテナンス情報は、少なくとも、将来において設備のメンテナンスを行うメンテナンス期間（予定）を含んでいればよい。メンテナンス情報は、過去において設備のメンテナンスを行ったメンテナンス期間を含んでいてもよい。
【００５５】
ここで、メンテナンスは、例えば、設備の劣化状態を調査する点検、点検時に軽微な手入れを行う保守、設備の不具合を処置する修繕、既存の設備を新しい設備に交換する取替等を含む。
【００５６】
通信部２２０は、通信モジュールによって構成されており、ネットワーク１２０を介して施設３００及び所定端末４００と通信を行う。通信部２２０は、上述した警報メッセージを燃料電池システム３１０から受信する。通信部２２０は、ＥＭＳ３２０を介して警報メッセージを受信してもよく、ＥＭＳ３２０を介さずに警報メッセージを受信してもよい。
【００５７】
制御部２３０は、メモリ及びＣＰＵなどによって構成されており、設備管理装置２００に設けられる各構成を制御する。制御部２３０は、燃料電池システム３１０の状態に基づいて、燃料電池システム３１０のメンテナンスを手配する制御を行ってもよい。
【００５８】
（設備管理方法）
以下において、実施形態に係る設備管理方法について説明する。
【００５９】
図４に示すように、ステップＳ１１において、燃料電池システム３１０は、上述した正常停止（手動停止及び自動停止を含む）又は異常停止（手動停止及び自動停止を含む）によって停止する。
【００６０】
ステップＳ１２において、燃料電池システム３１０は、燃料電池システム３１０の停止パターンに係る条件が所定条件を満たしているか否かを判断する。停止パターン及び所定条件の詳細は上述した通りである。ここでは、停止パターンに係る条件が所定条件を満たしているケースについて説明する。
【００６１】
ステップＳ１３において、燃料電池システム３１０は、警報メッセージをＥＭＳ３２０に送信する。
【００６２】
ステップＳ１４において、ＥＭＳ３２０は、警報メッセージを設備管理装置２００に送信する。ステップＳ１４は省略されてもよい。
【００６３】
図４に示すシーケンスでは、警報メッセージがＥＭＳ３２０に送信されるが、実施形態はこれに限定されるものではない。燃料電池システム３１０は、ＥＭＳ３２０を介さずに警報メッセージを設備管理装置２００に送信してもよく、警報メッセージを所定端末４００に送信してもよい。燃料電池システム３１０は、リモートコントローラに警報を出力してもよい。
【００６４】
（作用及び効果）
実施形態では、燃料電池システム３１０は、燃料電池システム３１０の停止パターンに係る条件が所定条件を満たしている場合に警報を出力するように構成される。従って、燃料電池システム３１０が頻繁に停止する事態を抑制することができる。特に、燃料電池システム３１０がユーザによって操作され得るシステムである場合に、ユーザ操作による不必要な停止を抑制することができる。
【００６５】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６６】
実施形態では、管理部２１０が設備管理装置２００に設けられるが、実施形態はこれに限定されるものではない。例えば、管理部２１０は、ネットワーク１２０を介して設備管理装置２００と接続されるサーバに設けられてもよい。
【００６７】
実施形態では、停止パターンに係る条件が所定条件を満たしているか否かの判断主体が制御基板１５７であるケースを例示した。しかしながら、実施形態はこれに限定されるものではない。判断主体は、ＥＭＳ３２０であってもよく、設備管理装置２００であってもよい。判断主体がＥＭＳ３２０である場合、制御基板１５７は、ＥＭＳ３２０に停止パターンに係る条件を出力してもよい。また、判断主体が設備管理装置２００である場合、ＥＭＳ３２０は、停止パターンに係る条件を制御基板１５７から受信し、その後設備管理装置２００に当該停止パターンに係る条件を出力してもよい。制御基板１５７からＥＭＳ３２０への停止パターンに係る条件の出力およびＥＭＳ３２０から設備管理装置２００への停止パターンに係る条件の出力は、燃料電池システム３１０が設置された時から、所定期間毎に行われてもよく、燃料電池システム３１０が停止する度に行われてもよく、停止回数が所定回数に到達する度に行われてもよい。判断主体がＥＭＳ３２０又は設備管理装置２００である場合に、警報の出力主体も、ＥＭＳ３２０又は設備管理装置２００であると考えてもよい。ＥＭＳ３２０又は設備管理装置２００は、燃料電池システムの一部を構成すると考えてもよい。
【００６８】
実施形態では、燃料電池システム３１０は、ＥＭＳ３２０を介して設備管理装置２００と通信を行う。しかしながら、実施形態はこれに限定されるものではない。ＥＭＳ３２０が設けられておらず、燃料電池システム３１０が設備管理装置２００と直接的に通信を行ってもよい。
【００６９】
実施形態では特に触れていないが、施設３００に設けられるＥＭＳ３２０は、必ずしも施設３００内に設けられていなくてもよい。例えば、ＥＭＳ３２０の機能の一部は、インターネット上に設けられるクラウドサーバによって提供されてもよい。すなわち、ローカル制御装置３６０がクラウドサーバを含むと考えてもよい。ＥＭＳ３２０は上述した電力管理サーバであると考えてもよい。
【００７０】
実施形態では、停止パターンに係る条件が停止パターンそのものであるケースについて例示した。しかしながら、実施形態はこれに限定されるものではない。停止パターンに係る条件は、起動パターンであってもよい。起動は、停止と表裏一体の関係を有するため、起動パターンは停止パターンと略同義である。このようなケースにおいて、実施形態における「停止」は「起動」と読み替えればよい。
【００７１】
メンテナンスにより既存の燃料電池設備１５０が新しい燃料電池設備１５０に交換された場合には、停止パターンに係る条件が所定条件を満たしているか否かの判断主体は、既存の燃料電池設備１５０の停止パターンに係る条件を記憶したまま、新しい燃料電池設備１５０の停止パターンに係る条件を管理してもよいし、既存の燃料電池設備１５０の停止パターンに係る条件を、新しい燃料電池設備１５０の停止パターンに係る条件に更新してもよい。
【００７２】
燃料電池設備１５０は、固体酸化物型燃料電池（ＳＯＦＣ：Ｓｏｌｉｄ  Ｏｘｉｄｅ  Ｆｕｅｌ  Ｃｅｌｌ）である。但し、燃料電池設備１５０は、固体高分子型燃料電池（ＰＥＦＣ：Ｐｏｌｙｍｅｒ  Ｅｌｅｃｔｒｏｌｙｔｅ  Ｆｕｅｌ  Ｃｅｌｌ）であってもよく、リン酸型燃料電池（ＰＡＦＣ：Ｐｈｏｓｐｈｏｒｉｃ  Ａｃｉｄ  Ｆｕｅｌ  Ｃｅｌｌ）であってもよく、溶融炭酸塩型燃料電池（ＭＣＦＣ：Ｍｏｌｔｅｎ  Ｃａｒｂｏｎａｔｅ  Ｆｕｅｌ  Ｃｅｌｌ）であってもよい。
【００７３】
なお、日本国特許出願第２０１７−1４６４６３号（２０１７年７月２８日出願）の全内容が、参照により、本願明細書に組み込まれている。
【図１】
2019022198.tif 000003
【図２】
2019022198.tif 000004
【図３】
2019022198.tif 000005
【図４】
2019022198.tif 000006
【国際調査報告】
2019022198.tif 000007
2019022198.tif 000008